(57)【要約】【課題】パラメーターの設定において複雑で煩雑な設定操作を行う必要がなく、簡単な操作でパラメーターの設定を行うことができ、圧力や温度の設定値や測定値について、全てのセンサーについて、一覧表示や、グラフ表示などの多角的な表示を行える船舶エンジン用アラームモニター装置を提供する。【解決手段】船舶エンジン１２に設けたセンサーからのセンサー情報を表示して、センサー情報に異常が生じた場合に、警報表示するための船舶エンジン用アラームモニター装置１０であって、船舶エンジン１２に設けたセンサーに接続され、警報表示を表示する警報表示装置２０と、警報表示装置２０に接続され、表示と設定を行う画面を表示するタッチパネル式表示装置２６とを備えている。【選択図】図１
2014088052.tif 000002
【特許請求の範囲】
【請求項１】
船舶エンジンに設けたセンサーからのセンサー情報を表示して、センサー情報に異常が生じた場合に、警報表示するための船舶エンジン用アラームモニター装置であって、
前記船舶エンジンに設けたセンサーに接続され、警報表示を表示する警報表示装置と、
前記警報表示装置に接続され、表示と設定を行う画面を表示するタッチパネル式表示装置とを備えていることを特徴とする船舶エンジン用アラームモニター装置。
【請求項２】
前記タッチパネル式表示装置が、
前記センサーの計測情報を一覧表示する計測情報一覧表示画面と、
前記警報表示装置で表示された警報履歴を表示する警報履歴表示画面と、
前記センサーの警報表示設定値を設定する警報設定画面とが表示されるように構成されていることを特徴とする請求項１に記載の船舶エンジン用アラームモニター装置。
【請求項３】
前記タッチパネル式表示装置が、メイン画面表示手段を備え、
前記メイン画面表示手段が、
前記センサーの計測情報を一覧表示する計測情報一覧表示画面を選択するための計測情報一覧選択ボタンと、
前記警報表示装置で表示された警報履歴を表示する警報履歴表示画面を選択するための警報履歴選択ボタンと、
前記センサーの警報設定画面を表示するための警報設定ボタンを備えたメニュー画面を表示するためのメニューボタンと、
をメイン画面に表示するように構成されていることを特徴とする請求項２に記載の船舶エンジン用アラームモニター装置。
【請求項４】
前記計測情報一覧選択ボタンに触れることにより表示される、計測情報一覧表示画面を表示する計測情報一覧表示手段を備えることを特徴とする請求項３に記載の船舶エンジン用アラームモニター装置。
【請求項５】
前記計測情報一覧表示画面に表示されたセンサーを個別に選択することによって、選択されたセンサーの個別の計測情報を示す個別計測情報画面を表示する個別計測情報画面表示手段を備えることを特徴とする請求項４に記載の船舶エンジン用アラームモニター装置。
【請求項６】
前記警報履歴選択ボタンに触れることにより表示される、警報履歴表示画面を表示する警報履歴表示手段を備えることを特徴とする請求項３から５のいずれかに記載の船舶エンジン用アラームモニター装置。
【請求項７】
前記メニューボタンに触れることにより表示される、メニュー画面を表示するメニュー画面表示手段を備えることを特徴とする請求項３から６のいずれかに記載の船舶エンジン用アラームモニター装置。
【請求項８】
前記メニュー画面の警報設定ボタンに触れることにより表示される、センサーの警報設定画面を表示する警報設定画面表示手段を備えることを特徴とする請求項３から７のいずれかに記載の船舶エンジン用アラームモニター装置。
【請求項９】
前記警報設定画面表示手段が、前記センサーの警報設定画面に表示されたセンサー表示に触れることにより、センサー警報表示設定値を入力するテンキーボタン画面を表示するように構成されていることを特徴とする請求項８に記載の船舶エンジン用アラームモニター装置。
【請求項１０】
前記メニュー画面表示手段が、メニュー画面に言語を切り替えるための言語選択ボタンを表示するように構成されていることを特徴とする請求項７から９のいずれかに記載の船舶エンジン用アラームモニター装置。
【請求項１１】
前記メニュー画面表示手段が、メニュー画面にセンサーの現在の情報を一覧表示する全点一覧表示ボタンを表示するように構成されていることを特徴とする請求項７から１０のいずれかに記載の船舶エンジン用アラームモニター装置。
【請求項１２】
前記全点一覧表示ボタンに触れることにより表示される、センサーの現在の情報を一覧表示する一覧表示画面を表示する一覧表示画面表示手段を備えることを特徴とする請求項１１に記載の船舶エンジン用アラームモニター装置。
【請求項１３】
前記タッチパネル式表示装置が、予め設定されたセンサー警報表示設定値データーを読み込むデーター読み込み手段を備えることを特徴とする請求項１から１２のいずれかに記載の船舶エンジン用アラームモニター装置。
【請求項１４】
前記タッチパネル式表示装置が、前記データー読み込み手段で読み込んだセンサー警報表示設定値データーを、前記警報表示装置に転送するデーター転送手段を備えることを特徴とする請求項１３に記載の船舶エンジン用アラームモニター装置。
【請求項１５】
前記タッチパネル式表示装置が、タッチパネル式表示装置内の記憶手段に記憶されたセンサー警報表示設定値データーを外部に転送する外部データー転送手段を備えることを特徴とする請求項１から１４のいずれかに記載の船舶エンジン用アラームモニター装置。
【請求項１６】
前記外部データー転送手段が、外部メモリーに、前記センサー警報表示設定値データーを書き込むように構成されていることを特徴とする請求項１５に記載の船舶エンジン用アラームモニター装置。
【請求項１７】
前記警報表示装置が、警報表示装置内の記憶手段に記憶されたセンサー警報表示設定値データーを、前記タッチパネル式表示装置に転送するデーター転送手段を備えることを特徴とする請求項１から１６のいずれかに記載の船舶エンジン用アラームモニター装置。
【請求項１８】
前記警報表示装置に、別の警報表示装置が増設されていることを特徴とする請求項１から１７のいずれかに記載の船舶エンジン用アラームモニター装置。
【請求項１９】
前記警報表示装置には、増設された別のタッチパネル式表示装置が接続されていることを特徴とする請求項１から１８のいずれかに記載の船舶エンジン用アラームモニター装置。
【発明の詳細な説明】
【技術分野】
【０００１】
本発明は、船舶エンジン用アラームモニター装置に関し、より詳細には、船舶エンジンの複数のシリンダーにそれぞれ設けた複数のセンサーからの、例えば、圧力、温度などの各種情報を表示して、これらの情報に異常が生じた場合に、警報表示するための船舶エンジン用アラームモニター装置に関する。
【背景技術】
【０００２】
従来、船舶エンジン用アラームモニター装置として、図１６に示したような船舶エンジン用アラームモニター装置２００が使用されている。
【０００３】
すなわち、船舶エンジン用アラームモニター装置２００は、船舶エンジンのモニター装置として使用され、船舶エンジンの複数のシリンダーにそれぞれ設けた複数のセンサーからの、例えば、圧力（圧力上限値、圧力下限値）、温度（温度上限値、温度下限値）などの各種センサー情報を表示して、これらの情報に異常が生じた場合に、警報表示する警報表示装置である。
【０００４】
図１６に示したように、船舶エンジン用アラームモニター装置２００では、例えば、図示しない船舶エンジンの複数のシリンダーにそれぞれ設けた複数のセンサーに接続された警報表示装置（主機アナンシエーター表示装置）２０２を備えている。
【０００５】
また、船舶エンジン用アラームモニター装置２００は、モニターすべきセンサー情報の種類が多い場合（例えば、圧力と温度の２種類の場合）に使用し、警報表示装置２０２と回線２０４で接続された増設警報表示装置（増設アナンシエーター表示装置）２０６を備えている。
【０００６】
そして、警報表示装置２０２には、その前面に、例えば、いわゆる「７セグメント」表示から構成されるデジタル表示部２０８ａ〜２０８ｃの３つの表示部が形成されている。また、このデジタル表示部２０８ａ〜２０８ｃの右側には、「ＭＯＤＥ」、「ＥＸＩＴ」、ならびに、「△」、「▽」などの選択ボタンからなる複数の押しボタンから構成される押しボタン操作部２１０が配置されている。
【０００７】
また、これらのデジタル表示部２０８ａ〜２０８ｃ、押しボタン操作部２１０の下方に、複数の銘板２１２が縦横に配列するように配置されており、これらの銘板２１２の左側には、それぞれＬＥＤ２１４が配置されている。
【０００８】
図１６に示した従来の船舶エンジン用アラームモニター装置２００では、警報表示装置２０２は、船舶エンジンの複数のシリンダーにそれぞれ設けた複数のセンサーに対応して、例えば、圧力に対する警報を表示するために、３０か所のセンサーに対応して、１〜３０の合計３０個の銘板２１２とＬＥＤ２１４が設けられている。
【０００９】
同様に、増設表示装置２０６にも、例えば、温度に対する警報を表示するために、３０か所のセンサーに対応して、「１〜３０」の合計３０個の銘板２１２とＬＥＤ２１４が設けられている。但し、増設表示装置２０６では、警報表示のみ行うために、デジタル表示部２０８ａ〜２０８ｃ、押しボタン操作部２１０は設けられていない。
【００１０】
このように構成される従来の船舶エンジン用アラームモニター装置２００では、例えば、予め設定された圧力、温度の上限値を超えた場合に、警報表示装置２０２、増設表示装置２０６において、それぞれセンサーに対応するセンサー箇所のＬＥＤ２１４が点灯（点滅）するようになっている。
【００１１】
例えば、図１６に示したように、番号「２」で示したセンサー位置の箇所において、予め設定された圧力、温度の上限値を超えて、圧力と温度に異常があることが、ＬＥＤ２１４が点灯（点滅）して、監視者に警報表示を行うようになっている。
【００１２】
また、この際、図１６に示したように、デジタル表示部２０８ａにおいて、「Ｃ０２」が表示されて、番号「２」で示したセンサー位置の箇所が示されている。また、デジタル表示部２０８Ｂにおいて、「ＡＬ」が表示されて、番号「２」で示したセンサー位置の箇所が、警報状態であることが示されている。さらに、デジタル表示部２０８ｃにおいて、「２．０８３」が表示されて、番号「２」で示したセンサー位置の箇所の圧力が、表示されるようになっている。
【先行技術文献】
【特許文献】
【００１３】
【特許文献１】特許第３４３４５７１号公報
【発明の概要】
【発明が解決しようとする課題】
【００１４】
ところで、このように構成される従来の船舶エンジン用アラームモニター装置２００では、例えば、予め、「２」の箇所の圧力センサーの圧力の上限値を設定する場合には、下記のようにして設定しなければならない。
【００１５】
先ず、押しボタン操作部２１０の「ＭＯＤＥ」ボタンを押して、「△」、「▽」などの選択ボタンを押して、圧力の選択モードにして、例えば、デジタル表示部２０８ａにおいて、「ＰＲＳ」のデジタル表示をさせる。
【００１６】
そして、「ＥＸＩＴ」ボタンを押して、再び「ＭＯＤＥ」を押して、「△」、「▽」などの選択ボタンを押して、デジタル表示部２０８Ｂにおいて、「０２」のデジタル表示をさせる。
【００１７】
さらに、「ＥＸＩＴ」ボタンを押して、再び「ＭＯＤＥ」を押して、「△」、「▽」などの選択ボタンを押して、デジタル表示部２０８ｃにおいて、「２．０００」の圧力の上限値を設定して、デジタル表示をさせて、「２」の箇所の圧力センサーの圧力の上限値を設定する。
【００１８】
このように、従来の船舶エンジン用アラームモニター装置２００では、パラメーターの設定を、押しボタン操作部２１０の押しボタンにより一つ一つ設定しなければならず、煩雑な操作が必要である。
【００１９】
すなわち、例えば、圧力について、圧力上限値、圧力下限値の２種類の設定、温度について、温度上限値、温度下限値の２種類の設定がそれぞれ、必要であり、これらのパラメーターについて、それぞれのセンサー毎に設定しなければならず、非常に煩雑な操作が必要で、時間がかかることになる。
【００２０】
また、パラメーターの表示部として、「７セグメント」表示から構成される３つのデジタル表示部２０８ａ〜２０８ｃを備えているにすぎず、また、桁数も少ない。このため、圧力や温度の設定値や測定値について、全てのセンサーについて、一覧表示や、グラフ表示などの多角的な表示をすることは不可能であり、総合的なパラメーター監視を短時間でかつ効率的に実施することが不可能であった。
【００２１】
ところで、特許文献１（特許第３４３４５７１号公報）には、船舶の主機関の遠隔制御操縦装置が開示されている。
【００２２】
この特許文献１の遠隔制御操縦装置は、船舶の主機関の遠隔制御操縦を行うために、タッチ式入力機能付き表示手段を備えており、このタッチ式入力機能付き表示手段を操作することによって、表示手段において対応画面を表示するとともに、主機関を駆動制御する中枢制御機に制御信号を、設定実行手段を介して送るように構成されている。
【００２３】
そして、設定実行手段からの制御信号に基づいて、プログラム進捗判定・表示手段から発したプログラム進捗情報に基づいて、プログラム進捗画面を、表示手段に表示するように構成されている。
【００２４】
しかしながら、この特許文献１の遠隔制御操縦装置は、主機関やシャフトやスクリューの状態、運航情報、機関のプログラム進捗状況などの遠隔制御操縦を行うために、主機関を駆動制御する中枢制御機の設定などを、タッチ式入力機能付き表示手段で行うものであり、複雑なプログラム制御などが必要になる。
【００２５】
これに対して、本発明は、船舶エンジンの複数のシリンダーにそれぞれ設けた複数のセンサーからの、例えば、圧力、温度などの各種情報を表示して、これらの情報に異常が生じた場合に、警報表示するための船舶エンジン用アラームモニター装置に関するものであって、特許文献１のような遠隔制御操縦装置で、タッチ式入力機能付き表示手段において、中枢制御機との間で複雑なプログラム制御などが必要な遠隔制御操縦装置に関するものではない。
【００２６】
従って、本発明の目的は、複雑なプログラム制御などが不要で、かつ、従来の船舶エンジン用アラームモニター装置のように、パラメーターの設定において複雑で煩雑な設定操作を行う必要がなく、簡単な操作でパラメーターの設定を行うことができ、圧力や温度の設定値や測定値について、全てのセンサーについて、一覧表示や、グラフ表示などの多角的な表示を行える船舶エンジン用アラームモニター装置を提供することを目的とするものである。
【課題を解決するための手段】
【００２７】
本発明は、前述したような従来技術における課題及び目的を達成するために発明されたものであって、本発明の船舶エンジン用アラームモニター装置は、
船舶エンジンに設けたセンサーからのセンサー情報を表示して、センサー情報に異常が生じた場合に、警報表示するための船舶エンジン用アラームモニター装置であって、
前記船舶エンジンに設けたセンサーに接続され、警報表示を表示する警報表示装置と、
前記警報表示装置に接続され、表示と設定を行う画面を表示するタッチパネル式表示装置とを備えていることを特徴とする。
【００２８】
このように構成することによって、警報表示装置に接続されたタッチパネル式表示装置によって、船舶エンジンの複数のシリンダーにそれぞれ設けた複数のセンサーに対応して画面表示を行い、この画面に触れることによって、例えば、圧力について、圧力上限値、圧力下限値の２種類の設定、温度について、温度上限値、温度下限値の２種類の設定などのパラメーターの設定を、従来の船舶エンジン用アラームモニター装置のように、複雑で煩雑な設定操作を行う必要がなく、簡単な操作で行うことができる。
【００２９】
また、タッチパネル式表示装置において、船舶エンジンの複数のシリンダーにそれぞれ設けた複数のセンサーについて、圧力や温度の設定値や測定値について、全てのセンサーについて、一覧表示や、グラフ表示などの多角的な表示を行え、監視能力（モニター能力）が向上する。
【００３０】
また、本発明の船舶エンジン用アラームモニター装置は、
前記タッチパネル式表示装置が、
前記センサーの計測情報を一覧表示する計測情報一覧表示画面と、
前記警報表示装置で表示された警報履歴を表示する警報履歴表示画面と、
前記センサーの警報表示設定値を設定する警報設定画面とが表示されるように構成されていることを特徴とする。
【００３１】
このように構成することによって、警報表示装置に接続されたタッチパネル式表示装置によって、船舶エンジンの複数のシリンダーにそれぞれ設けた複数のセンサーに対応して一覧表示画面表示を行うことができる。
【００３２】
これによって、複数のセンサーについて、例えば、圧力、温度などの監視項目について、現在の計測情報を一覧表示、グラフ表示できるので、監視能力（モニター能力）が向上する。
【００３３】
また、タッチパネル式表示装置によって、警報表示装置で表示された警報履歴を表示する警報履歴表示画面表示を行うことができる。
これによって、異常履歴の多いセンサー箇所のシリンダーの交換時期、メンテナンス時期などを一括して把握することができ、監視能力（モニター能力）が向上する。
【００３４】
さらに、タッチパネル式表示装置によって、センサーの警報表示設定値を設定する警報設定画面表示を行うことができる。
これによって、船舶エンジンの複数のシリンダーにそれぞれ設けた複数のセンサーについて、例えば、圧力について、圧力上限値、圧力下限値の２種類の設定、温度について、温度上限値、温度下限値の２種類の設定などのパラメーターの設定を簡単に一括して行うことができる。
【００３５】
また、本発明の船舶エンジン用アラームモニター装置は、
前記タッチパネル式表示装置が、メイン画面表示手段を備え、
前記メイン画面表示手段が、
前記センサーの計測情報を一覧表示する計測情報一覧表示画面を選択するための計測情報一覧選択ボタンと、
前記警報表示装置で表示された警報履歴を表示する警報履歴表示画面を選択するための警報履歴選択ボタンと、
前記センサーの警報設定画面を表示するための警報設定ボタンを備えたメニュー画面を表示するためのメニューボタンと、
をメイン画面に表示するように構成されていることを特徴とする。
【００３６】
このように構成することによって、メイン画面表示手段によりメイン画面に表示された計測情報一覧選択ボタンに触れることによって、船舶エンジンの複数のシリンダーにそれぞれ設けた複数のセンサーについて、現在の計測情報である計測情報一覧表示画面が表示される。
【００３７】
これによって、複数のセンサーについて、例えば、圧力、温度などの監視項目について、現在の計測情報を一覧表示、グラフ表示できるので、監視能力（モニター能力）が向上する。
【００３８】
また、メイン画面表示手段によりメイン画面に表示された警報履歴選択ボタンに触れることによって、船舶エンジンの複数のシリンダーにそれぞれ設けた複数のセンサーについて、警報履歴を表示する警報履歴表示画面が表示される。
【００３９】
これによって、異常履歴の多いセンサー箇所のシリンダーの交換時期、メンテナンス時期などを一括して把握することができ、監視能力（モニター能力）が向上する。
【００４０】
さらに、メイン画面表示手段によりメイン画面に表示されたメニューボタンに触れることによって、メニュー画面を表示させ、さらにこのメニュー画面に表示された警報設定ボタンに触れることによって、船舶エンジンの複数のシリンダーにそれぞれ設けた複数のセンサーについて、例えば、圧力について、圧力上限値、圧力下限値の２種類の設定、温度について、温度上限値、温度下限値の２種類の設定などのパラメーターの設定を簡単に一括して行うことができる。
【００４１】
また、本発明の船舶エンジン用アラームモニター装置は、前記計測情報一覧選択ボタンに触れることにより表示される、計測情報一覧表示画面を表示する計測情報一覧表示手段を備えることを特徴とする。
【００４２】
このように構成することによって、メイン画面に表示された計測情報一覧選択ボタンに触れることにより、計測情報一覧表示手段によって、現在の計測情報である計測情報一覧表示画面を表示することができる。
【００４３】
従って、複数のセンサーについて、例えば、圧力、温度などの監視項目について、現在の計測情報を一覧表示、グラフ表示できるので、監視能力（モニター能力）が向上する。
【００４４】
また、本発明の船舶エンジン用アラームモニター装置は、前記計測情報一覧表示画面に表示されたセンサーを個別に選択することによって、選択されたセンサーの個別の計測情報を示す個別計測情報画面を表示する個別計測情報画面表示手段を備えることを特徴とする。
【００４５】
このように構成することによって、計測情報一覧表示画面に表示されたセンサーを個別に触れて選択することによって、個別計測情報画面表示手段によって、選択されたセンサーの個別の計測情報を示す個別計測情報画面を表示することができる。
【００４６】
これにより、船舶エンジンの複数のシリンダーにそれぞれ設けた複数のセンサーについて、それぞれの例えば、圧力、温度などの現在の計測情報を個別にモニターすることができ、監視能力（モニター能力）が向上する。
【００４７】
また、本発明の船舶エンジン用アラームモニター装置は、前記警報履歴選択ボタンに触れることにより表示される、警報履歴表示画面を表示する警報履歴表示手段を備えることを特徴とする。
【００４８】
このように構成することによって、メイン画面に表示された警報履歴選択ボタンに触れることにより、警報履歴表示手段によって、警報履歴を表示する警報履歴表示画面が表示される。
【００４９】
従って、異常履歴の多いセンサー箇所のシリンダーの交換時期、メンテナンス時期などを一括して把握することができ、監視能力（モニター能力）が向上する。
【００５０】
また、本発明の船舶エンジン用アラームモニター装置は、前記メニューボタンに触れることにより表示される、メニュー画面を表示するメニュー画面表示手段を備えることを特徴とする。
【００５１】
このように構成することによって、メイン画面に表示されたメニュー画面に表示された例えば、警報設定ボタン触れることによって、船舶エンジンの複数のシリンダーにそれぞれ設けた複数のセンサーについて、例えば、圧力について、圧力上限値、圧力下限値の２種類の設定、温度について、温度上限値、温度下限値の２種類の設定などのパラメーターの設定を簡単に一括して行うことができる。
【００５２】
また、本発明の船舶エンジン用アラームモニター装置は、前記メニュー画面の警報設定ボタンに触れることにより表示される、センサーの警報設定画面を表示する警報設定画面表示手段を備えることを特徴とする。
【００５３】
このように構成することによって、メニュー画面の警報設定ボタンに触れることにより、警報設定画面表示手段によって、センサーの警報設定画面を表示することができる。
【００５４】
従って、センサーの警報表示設定画面で、個別のセンサーについて、例えば、圧力について、圧力上限値、圧力下限値の２種類の設定、温度について、温度上限値、温度下限値の２種類の設定などのパラメーターの設定について、センサー警報表示設定値を簡単容易に設定することができる。
【００５５】
また、本発明の船舶エンジン用アラームモニター装置は、前記警報設定画面表示手段が、前記センサーの警報設定画面に表示されたセンサー表示に触れることにより、センサー警報表示設定値を入力するテンキーボタン画面を表示するように構成されていることを特徴とする。
【００５６】
このように構成することによって、警報設定画面表示手段によって、センサーの警報設定画面に表示されたセンサー表示に触れることにより、テンキーボタン画面が表示されるので、例えば、圧力について、圧力上限値、圧力下限値の２種類の設定、温度について、温度上限値、温度下限値の２種類の設定などのパラメーターの設定について、センサー警報表示設定値の入力をテンキーで直接数値入力でき、入力操作を迅速かつ正確に行うことができる。
【００５７】
また、本発明の船舶エンジン用アラームモニター装置は、前記メニュー画面表示手段が、メニュー画面に言語を切り替えるための言語選択ボタンを表示するように構成されていることを特徴とする。
【００５８】
このように構成することによって、メニュー画面表示手段によって、メニュー画面に表示された言語選択ボタンに触れることによって、船舶エンジン用アラームモニター装置を再起動（リセット）することなく、言語を切り替えることが可能で、複数の作業者が、国籍に関係なく、短時間でかつ効率的に作業することができる。
【００５９】
また、本発明の船舶エンジン用アラームモニター装置は、前記メニュー画面表示手段が、メニュー画面にセンサーの現在の情報を一覧表示する全点一覧表示ボタンを表示するように構成されていることを特徴とする。
【００６０】
このように構成することによって、メニュー画面表示手段により、メニュー画面に表示された全点一覧表示ボタンに触れることによって、センサーの現在の情報を一覧表示することができる。
【００６１】
これにより、センサーやエンジンのシリンダーなどの不良や、不具合を監視できるとともに、交換したり不具合を修正することが可能となり、監視能力（モニター能力）が向上する。
【００６２】
また、本発明の船舶エンジン用アラームモニター装置は、前記全点一覧表示ボタンに触れることにより表示される、センサーの現在の情報を一覧表示する一覧表示画面を表示する一覧表示画面表示手段を備えることを特徴とする。
【００６３】
このように構成することによって、メニュー画面に表示された全点一覧表示ボタンに触れることによって、一覧表示画面表示手段によって、センサーの現在の情報を一覧表示する一覧表示画面を表示することができる。
【００６４】
これにより、一覧表示画面によって、センサーやエンジンのシリンダーなどの不良や、不具合を監視できるとともに、交換したり不具合を修正することが可能となり、監視能力（モニター能力）が向上する。
【００６５】
また、本発明の船舶エンジン用アラームモニター装置は、前記タッチパネル式表示装置が、予め設定されたセンサー警報表示設定値データーを読み込むデーター読み込み手段を備えることを特徴とする。
【００６６】
このように構成することによって、例えば、「ＥＸＣＥＬ（登録商標）」などの外部のコンピューターのプログラムで設定した、例えば、圧力について、圧力上限値、圧力下限値の２種類の設定、温度について、温度上限値、温度下限値の２種類の設定などのセンサー警報表示設定値データーを、例えば、ＵＳＢメモリー、ＣＤ−Ｒ、ＤＶＤ−Ｒなどの外部メモリーを介して、また、例えば、有線ＬＡＮ、無線ＬＡＮを介して、タッチパネル式表示装置のデーター読み込み手段で読み込むことができる。
【００６７】
従って、これらのセンサー警報表示設定値データーを外部のコンピューターのプログラムで設定できるので、パラメーターの設定作業が容易で短時間で行うことができる。
【００６８】
また、本発明の船舶エンジン用アラームモニター装置は、前記タッチパネル式表示装置が、前記データー読み込み手段で読み込んだセンサー警報表示設定値データーを、前記警報表示装置に転送するデーター転送手段を備えることを特徴とする。
【００６９】
このように構成することによって、タッチパネル式表示装置のデーター転送手段によって、データー読み込み手段で読み込んだセンサー警報表示設定値データーを、警報表示装置に転送することができるので、パラメーターの設定作業が容易で短時間で行うことができる。
【００７０】
また、本発明の船舶エンジン用アラームモニター装置は、前記タッチパネル式表示装置が、タッチパネル式表示装置内の記憶手段に記憶されたセンサー警報表示設定値データーを外部に転送する外部データー転送手段を備えることを特徴とする。
【００７１】
このように構成することによって、タッチパネル式表示装置内の記憶手段に記憶されたセンサー警報表示設定値データーを、例えば、有線ＬＡＮ、無線ＬＡＮを介して、外部データー転送手段により、外部のコンピューターなどに転送することができる。
【００７２】
従って、万一、本発明の船舶エンジン用アラームモニター装置に異常が発生したとしても、異常発生時の前後のセンサー警報表示設定値データーを、外部のコンピューターなどに転送することができ、新しい船舶エンジン用アラームモニター装置に交換した際にも、外部のコンピューターなどに転送して記憶されたデーターを引き継ぐことが可能で、再起動が迅速に行える。
【００７３】
また、本発明の船舶エンジン用アラームモニター装置は、前記外部データー転送手段が、外部メモリーに、前記センサー警報表示設定値データーを書き込むように構成されていることを特徴とする。
【００７４】
このように構成することによって、万一、本発明の船舶エンジン用アラームモニター装置に異常が発生したとしても、異常発生時の前後のセンサー警報表示設定値データーを、例えば、ＵＳＢメモリー、ＣＤ−Ｒ、ＤＶＤ−Ｒなどの外部メモリーに書き込むことができ、新しい船舶エンジン用アラームモニター装置に交換した際にも、外部メモリーに書き込まれたデーターを引き継ぐことが可能で、再起動が迅速に行える。
【００７５】
また、本発明の船舶エンジン用アラームモニター装置は、前記警報表示装置が、警報表示装置内の記憶手段に記憶されたセンサー警報表示設定値データーを、前記タッチパネル式表示装置に転送するデーター転送手段を備えることを特徴とする。
【００７６】
このように構成することによって、万一、本発明の船舶エンジン用アラームモニター装置の警報表示装置に異常が発生したとしても、警報表示装置の異常発生時の前後のセンサー警報表示設定値データーを、タッチパネル式表示装置に転送することができる。
【００７７】
これにより、新しい警報表示装置に交換した際にも、タッチパネル式表示装置に記憶された異常発生時の前後のセンサー警報表示設定値データーを、引き継ぐことが可能で、再起動が迅速に行える。
【００７８】
また、本発明の船舶エンジン用アラームモニター装置は、前記警報表示装置に、別の警報表示装置が増設されていることを特徴とする。
【００７９】
このように構成することによって、モニターすべきセンサー情報の種類が多い場合（例えば、圧力と温度の２種類の場合）に使用することができる。
【００８０】
また、本発明の船舶エンジン用アラームモニター装置は、前記警報表示装置には、増設された別のタッチパネル式表示装置が接続されていることを特徴とする。
【００８１】
このように構成することによって、増設された別のタッチパネル式表示装置によって、別室でアラームモニター装置のデーターを監視することができる。例えば、タッチパネル式表示装置を２台設けることによって、操舵室と機械室で、アラームモニター装置のデーターを同時に監視することができ、極めて便利である。
【発明の効果】
【００８２】
本発明によれば、警報表示装置に接続されたタッチパネル式表示装置によって、船舶エンジンの複数のシリンダーにそれぞれ設けた複数のセンサーに対応して画面表示を行い、この画面に触れることによって、例えば、圧力について、圧力上限値、圧力下限値の２種類の設定、温度について、温度上限値、温度下限値の２種類の設定などのパラメーターの設定を、従来の船舶エンジン用アラームモニター装置のように、複雑で煩雑な設定操作を行う必要がなく、簡単な操作で行うことができる。
【００８３】
また、タッチパネル式表示装置において、船舶エンジンの複数のシリンダーにそれぞれ設けた複数のセンサーについて、圧力や温度の設定値や測定値について、全てのセンサーについて、一覧表示や、グラフ表示などの多角的な表示を行え、監視能力（モニター能力）が向上する。
【図面の簡単な説明】
【００８４】
【図１】図１は、本発明の船舶エンジン用アラームモニター装置の全体の構成を示すブロック図である。
【図２】図２は、本発明の船舶エンジン用アラームモニター装置の警報表示装置とタッチパネル式表示装置を示す斜視図である。
【図３】図３は、本発明の船舶エンジン用アラームモニター装置の警報表示装置とタッチパネル式表示装置の構成を示すブロック図である。
【図４】図４は、本発明の船舶エンジン用アラームモニター装置のタッチパネル式表示装置の操作全体を示す画面の関係図である。
【図５】図５は、本発明の船舶エンジン用アラームモニター装置のタッチパネル式表示装置の画面を示す図である。
【図６】図６は、本発明の船舶エンジン用アラームモニター装置のタッチパネル式表示装置の画面を示す図である。
【図７】図７は、本発明の船舶エンジン用アラームモニター装置のタッチパネル式表示装置の画面を示す図である。
【図８】図８は、本発明の船舶エンジン用アラームモニター装置のタッチパネル式表示装置の画面を示す図である。
【図９】図９は、本発明の船舶エンジン用アラームモニター装置のタッチパネル式表示装置の画面を示す図である。
【図１０】図１０は、本発明の船舶エンジン用アラームモニター装置のタッチパネル式表示装置の画面を示す図である。
【図１１】図１１は、本発明の船舶エンジン用アラームモニター装置のタッチパネル式表示装置の画面を示す図である。
【図１２】図１２は、本発明の船舶エンジン用アラームモニター装置のタッチパネル式表示装置の画面を示す図である。
【図１３】図１３は、本発明の船舶エンジン用アラームモニター装置のタッチパネル式表示装置の画面を示す図である。
【図１４】図１４は、本発明の船舶エンジン用アラームモニター装置のタッチパネル式表示装置の画面を示す図である。
【図１５】図１５は、本発明の船舶エンジン用アラームモニター装置のタッチパネル式表示装置の画面を示す図である。
【図１６】図１６は、従来の船舶エンジン用アラームモニター装置を示す斜視図である。
【発明を実施するための形態】
【００８５】
以下、本発明の実施の形態（実施例）を図面に基づいてより詳細に説明する。
【００８６】
図１は、本発明の船舶エンジン用アラームモニター装置の全体の構成を示すブロック図、図２は、本発明の船舶エンジン用アラームモニター装置の警報表示装置とタッチパネル式表示装置を示す斜視図、図３は、本発明の船舶エンジン用アラームモニター装置の警報表示装置とタッチパネル式表示装置の構成を示すブロック図、図４は、本発明の船舶エンジン用アラームモニター装置のタッチパネル式表示装置の操作全体を示す画面の関係図、図５〜図１５は、本発明の船舶エンジン用アラームモニター装置のタッチパネル式表示装置の画面を示す図である。
【００８７】
図１において、符号１０は、全体で本発明の船舶エンジン用アラームモニター装置を示している。
【００８８】
本発明の船舶エンジン用アラームモニター装置１０は、図１の一点鎖線に示したように、船舶エンジン（主機関）１２（以下、「船舶エンジン」と言う）のモニター装置として使用され、船舶エンジン１２の複数のシリンダー（図示せず）にそれぞれ設けた複数のセンサーからの、例えば、圧力（圧力上限値、圧力下限値）、温度（温度上限値、温度下限値）などの各種センサー情報を表示して、これらの情報に異常が生じた場合に、警報表示するアラーム表示装置である。
【００８９】
図１に示したように、スクリュー１４を備えた船舶エンジン１２は、機関制御部１６によって、船舶エンジン１２のスクリュー１４の回転数が制御されるようになっている。
【００９０】
そして、船舶エンジン１２の複数のシリンダー（図示せず）にそれぞれ設けた複数のセンサーからの、例えば、圧力、温度などの検出信号は、センサー群１８から、警報表示を表示する警報表示装置（主機アナンシエーター表示装置）２０に送られるように構成されている。
【００９１】
この警報表示装置２０は、図２に示したように、その前面に、複数の銘板２２が縦横に配列するように配置されており、これらの銘板２２の左側には、それぞれＬＥＤ２４が配置されている。
【００９２】
図２に示した警報表示装置２０では、船舶エンジン１２の複数のシリンダーにそれぞれ設けた複数のセンサーに対応して、例えば、圧力に対する警報を表示するために、３０か所のセンサーに対応して、１〜３０の合計３０個の銘板２２とＬＥＤ２４が設けられている。
【００９３】
そして、図１、図２に示したように、警報表示装置２０には、回線２５を介して、タッチパネル式表示装置２６が接続されている。このタッチパネル式表示装置２６は、後述するように、表示と設定を行う画面を表示するように構成されている。
【００９４】
また、この実施例の船舶エンジン用アラームモニター装置１０では、図１、図２に示したように、モニターすべきセンサー情報の種類が多い場合（例えば、圧力と温度の２種類の場合）に使用し、警報表示装置２０と回線２８で接続された増設警報表示装置（増設アナンシエーター表示装置）３０を備えている。
【００９５】
なお、この増設警報表示装置３０においても同様に、図２に示したように、例えば、温度に対する警報を表示するために、３０か所のセンサーに対応して、「１〜３０」の合計３０個の銘板２２とＬＥＤ２４が設けられている。
【００９６】
また、図１に示したように、警報表示装置２０と同様に、船舶エンジン１２の複数のシリンダー（図示せず）にそれぞれ設けた複数のセンサーからの、例えば、圧力、温度などの検出信号は、センサー群１８から、警報表示を表示する増設警報表示装置３０に送られるように構成されている。
【００９７】
さらに、警報表示装置２０には、図１、図２に示したように、回線３２を介して、別の増設タッチパネル式表示装置３４が接続されている。
すなわち、増設された別のタッチパネル式表示装置３４によって、別室でアラームモニター装置１０のデーターを監視することができる。例えば、タッチパネル式表示装置を２台設けることによって、操舵室と機械室で、アラームモニター装置１０のデーターを同時に監視することができ、極めて便利である。
【００９８】
このように構成される本発明の船舶エンジン用アラームモニター装置１０では、例えば、予め設定された圧力、温度の上限値を超えた場合に、警報表示装置２０、増設警報表示装置３０において、それぞれセンサーに対応するセンサー箇所のＬＥＤ２４が点灯（点滅）するようになっている。
【００９９】
また、図１に示したように、警報表示装置２０、増設警報表示装置３０では、ＬＥＤ２４が点灯（点滅）して警報表示するとともに、図示しないが、外部コンピューターなどに警報出力がなされるようになっている。
【０１００】
さらに、図１に示したように、機関制御部１６からは、後述するように、任意のセンサーに対する警報判断停止信号（アラームブロック信号）が、警報表示装置２０、増設警報表示装置３０に出力されるようになっている。
【０１０１】
また、警報表示装置２０、増設警報表示装置３０は、図３のブロック図に示したように、中央演算処理装置（ＣＰＵ）３６を備えている。この中央演算処理装置３６は、例えば、別途設けた警報出力とブザー出力に接続するためリレー駆動部（ＤＯ）３８と、ＬＥＤ２４を制御するＬＥＤ表示部４０にそれぞれ接続されている。
【０１０２】
また、中央演算処理装置３６は、図２に示した警報表示装置２０、増設警報表示装置３０において、右下に設けられている「ＡＬＭ・ＳＴＯＰボタン（警報確認スイッチ）」のＯＮ／ＯＦＦ信号を入力するためスイッチ入力部（ＤＩ）４２に接続されている。
また、中央演算処理装置３６は、警報判断停止信号（アラームブロック信号）を検出するための接点入力部４４と、例えば、圧力、温度などのセンサー群１８からの検出信号を入力するセンサー入力回路４６とにそれぞれ接続されている。
【０１０３】
さらに、中央演算処理装置３６は、警報表示装置２０との通信を行うための通信回路部４８と、増設警報表示装置３０との通信を行うための通信回路部５０と、センサー警報表示設定値データーを記憶するための内部メモリー（不揮発性メモリー）５２に接続されている。
【０１０４】
また、中央演算処理装置３６は、例えば、予め設定された圧力、温度の上限値を超えた場合に、警報を発するブザー５４に接続されている。
【０１０５】
一方、タッチパネル式表示装置２６、増設タッチパネル式表示装置３４は、図３のブロック図に示したように、主として表示処理用の中央演算処理装置（ＣＰＵ）５６を備えている。この中央演算処理装置５６は、液晶表示を行うための液晶表示駆動部５８と、画面に人体の指などが触れた際に検出を行うための人体検出センサー６０と、液晶画面のバックライトを制御するためのバックライト駆動部６２とにそれぞれ接続され、後述する各画面表示を行うように構成されている。
【０１０６】
また、中央演算処理装置５６は、後述するように、センサー警報表示設定値データーを記憶するための内部メモリー６４と、内部メモリー６４に記憶されたセンサー警報表示設定値データーを、例えば、ＵＳＢメモリー、ＣＤ−Ｒ、ＤＶＤ−Ｒなどの外部メモリーに書き込んだり、外部メモリーのセンサー警報表示設定値データーを読み込むための外部メモリー駆動部６６とに接続されている。
【０１０７】
さらに、中央演算処理装置５６は、警報表示装置２０とのデーターなどを通信するための通信回路部６８に接続されている。
【０１０８】
また、中央演算処理装置５６は、例えば、予め設定された圧力、温度の上限値を超えた場合に、警報を発するブザー７０に接続されている。
【０１０９】
このように構成される本発明の船舶エンジン用アラームモニター装置１０では、下記のように操作される。
【０１１０】
なお、以下の説明においては、説明の便宜上、例えば、センサーの温度を設定する場合について、タッチパネル式表示装置２６について、図４〜図１５の画面を示す図について説明する。
【０１１１】
先ず、図４、図５に示したように、タッチパネル式表示装置２６では、メイン画面表示手段によってメイン画面７２が表示されている。
【０１１２】
このメイン画面７２には、上から順に、「計測一覧」と表示された計測情報一覧選択ボタン７４と、「警報履歴」と表示された警報履歴選択ボタン７６と、「メニュー」と表示されたメニューボタン７８とが表示されている。
【０１１３】
この計測情報一覧選択ボタン７４は、センサーの計測情報を一覧表示する計測情報一覧表示画面を選択するためのものである。
【０１１４】
そして、このメイン画面７２において、計測情報一覧選択ボタン７４に触れることによって、計測情報一覧表示手段によって、図６に示したように、船舶エンジンの複数のシリンダーにそれぞれ設けた複数のセンサーについて、現在の計測情報である計測情報一覧表示画面８０が表示される。
【０１１５】
この計測情報一覧表示画面８０は、図６に示したように、例えば、「１  主機第１シリンダー排ガス出口温度３５２℃」、「２  主機第２シリンダー排ガス出口温度３６０℃」、「３  主機第３シリンダー排ガス出口温度３５０℃」、「４  主機第４シリンダー排ガス出口温度３４５℃」、「Ｈ５  主機第５シリンダー排ガス出口温度５１４℃」の５つのシリンダーについて、出口温度が示されている。この場合、「Ｈ」の表示が付されている第５シリンダーのセンサーの温度が、５１４℃で、上限警報設定値５００℃よりも高く、異常であることが示されている。
【０１１６】
なお、この計測情報一覧表示画面８０では、右向きの△のボタン、左向きの△のボタンによってその他の番号のシリンダーについても、計測情報一覧表示画面８０に一覧表示ができるようになっている。また、計測情報一覧表示画面８０では、「戻る」ボタンに触れることによって、メイン画面７２に戻ることができるようになっている。
【０１１７】
さらに、図６に示したように、この計測情報一覧表示画面８０に表示されたセンサーを個別に選択することによって、例えば、「Ｈ５  主機第５シリンダー排ガス出口温度５１４℃」を個別に触れて選択する。
【０１１８】
これによって、図７に示したように、個別計測情報画面表示手段によって、選択されたセンサー「主機第５シリンダー」について、個別の計測情報を示す個別計測情報画面８２が表示されるようになっている。
【０１１９】
図７では、主機第５シリンダー排ガス出口温度５１４℃が、メータ状にグラフ表示されているとともに、「上限警報発生」が、現在の「５１４℃」であること、「上限警報設定値」が、「５００℃」に設定されていること、「下限警報設定値」について、「−」表示がなされ、未だ未設定であることがそれぞれ表示されている。
【０１２０】
なお、この実施例では、メータ状にグラフ表示したが、その他の折れ線グラフ、棒グラフなどのグラフ表示とすることももちろん可能である。
【０１２１】
また、計測情報一覧表示画面８０では、図示しないが、「下限警報設定値」が設定されており、その「下限警報設定値」を下回る場合には、「Ｌ」表示がなされるように構成されている。
【０１２２】
なお、図７に示したように、右向きの△のボタン、左向きの△のボタンによってその他の番号のシリンダーについても、直接、個別の計測情報を示す個別計測情報画面８２が表示されるようになっている。
【０１２３】
また、個別計測情報画面８２では、「戻る」ボタンに触れることによって、計測情報一覧表示画面８０に戻ることができるようになっている。
【０１２４】
このように構成することによって、メイン画面７２に表示された計測情報一覧選択ボタン７４に触れることにより、計測情報一覧表示手段によって、現在の計測情報である計測情報一覧表示画面８０を表示することができる。
【０１２５】
従って、複数のセンサーについて、例えば、圧力、温度などの監視項目について、現在の計測情報を一覧表示、グラフ表示できるので、監視能力（モニター能力）が向上する。
【０１２６】
一方、図４、図８に示したように、メイン画面７２において、警報履歴選択ボタン７６に触れることによって、警報履歴表示手段により、図８に示したように、警報履歴を表示する警報履歴表示画面８４が表示される。
【０１２７】
図８に示したように、この警報履歴表示画面８４では、船舶エンジンの複数のシリンダーにそれぞれ設けた複数のセンサーについて、警報の発報日を示す「警報の発報日」、警報の時刻を示す「時刻」、警報の内容、例えば、「温度上限警報」、「センサー異常」などの警報の内容を示す「内容」、警報の復旧状態を示す「復旧」の欄が一括で示されている。
【０１２８】
また、警報履歴表示画面８４では、図８に示したように、「上へ」、「下へ」のボタンが表示され、これらのボタンに触れることによって、その他の番号のシリンダーについても、スクロールすることによって、警報履歴表示が一覧表示されるようになっている。
【０１２９】
なお、警報履歴表示画面８４では、「戻る」ボタンに触れることによって、メイン画面７２に戻ることができるようになっている。
【０１３０】
このように構成することによって、メイン画面７２に表示された警報履歴選択ボタン７６に触れることにより、警報履歴表示手段によって、警報履歴を表示する警報履歴表示画面８４が表示される。
【０１３１】
従って、異常履歴の多いセンサー箇所のシリンダーの交換時期、メンテナンス時期などを一括して把握することができ、監視能力（モニター能力）が向上する。
【０１３２】
一方、図４、図９に示したように、メイン画面７２において、メニューボタンに触れることによって、メニュー画面表示手段によって、メニュー画面８６を表示することができる。
【０１３３】
図９に示したように、このメニュー画面８６には、センサー警報表示設定値を設定するためのセンサー一覧画面を表示する「警報設定」と表示された警報設定ボタン８８と、言語を切り替えるための「言語切替」と表示された言語選択ボタン９０を備えている。
【０１３４】
また、メニュー画面８６には、外部メモリーであるＵＳＢにセンサー警報表示設定値データーを読み書きするための「ＵＳＢ転送」と表示された転送ボタン９２と、センサーの現在の情報を一覧表示する一覧表示画面を表示する「全点一覧」と表示された全点一覧表示ボタン９４を備えている。
【０１３５】
なお、メニュー画面８６では、「戻る」ボタンに触れることによって、メイン画面７２に戻ることができるようになっている。
【０１３６】
そして、図９に示したように、メニュー画面８６において、警報設定ボタン８８に触れることにより、警報設定画面表示手段によって、図１０に示したように、センサーの警報設定画面９６が表示される。
【０１３７】
この実施例では、「５  主機第５シリンダー排ガス出口温度」についての警報設定画面９６が表示されており、警報を発生する上限温度を示す「上限警報値」、警報を発生する下限温度を示す「下限警報値」、上限温度についての警報の復帰温度範囲を示す「ＤＩＦＦ値（上限）」、下限温度についての警報の復帰温度範囲を示す「ＤＩＦＦ値（下限）」の欄が表示されている。
【０１３８】
例えば、この実施例では、「上限警報値」が５００℃で、「ＤＩＦＦ値（上限）」が２０℃であるので、４８０℃で警報が復帰するようになっている。
【０１３９】
なお、図１０に示したように、右向きの△のボタン、左向きの△のボタンによってその他の番号のシリンダーについても、センサーの警報設定画面９６が表示されるようになっている。
【０１４０】
また、警報設定画面９６では、「戻る」ボタンに触れることによって、メニュー画面８６に戻ることができるようになっている。
【０１４１】
そして、センサーの警報設定画面９６に表示されたセンサー表示に触れることにより、例えば、図１０に示したように、この実施例の場合には、「上限警報値」の「５００」の数字に触れることによって、図１１に示したように、センサー警報表示設定値を入力するためのテンキーボタン画面９８が表示されるようになっている。
【０１４２】
なお、テンキーボタン画面９８において、「ＥＮＴ」ボタンに触れるか、または、センサーの警報設定画面９６の部分に触れることによって、テンキーボタン画面９８が消えて、警報設定画面９６に戻ることができるように構成されている。
【０１４３】
また、警報設定画面９６において、下向きの「▽」のボタンに触れることによって、別の設定項目について、例えば、図１２に示したように、上限値を超えた場合に警報を発生する時間である「上限時限値」、下限値を超えた場合に警報を発生する時間である「下限時限値」、「ゼロ点補正値」などの項目を、同様にして設定することができるように構成されている。また、図１２において、上向きの「△」のボタンに触れることによって、元の警報設定画面９６に戻るようになっている。
【０１４４】
このように構成することによって、警報設定画面表示手段によって、警報設定画面９６に表示されたセンサー表示に触れることにより、テンキーボタン画面９８が表示されるので、例えば、圧力について、圧力上限値、圧力下限値の２種類の設定、温度について、温度上限値、温度下限値の２種類の設定などのパラメーターの設定について、センサー警報表示設定値の入力をテンキーボタン画面９８テンキーで直接数値入力でき、入力操作を迅速かつ正確に行うことができる。
【０１４５】
また、図９に示したように、メニュー画面８６において、メニュー画面８６に表示された言語を切り替えるための言語選択ボタン９０に触れることによって、図１３に示したように、例えば、「日本語」、「英語」、「中国語」、「韓国語」の言語ボタン１００が表示される。
【０１４６】
これらの言語ボタン１００を選択することによって、船舶エンジン用アラームモニター装置を再起動（リセット）することなく、言語を切り替えることが可能で、複数の作業者が、国籍に関係なく、短時間でかつ効率的に作業することができる。
【０１４７】
さらに、図９に示したように、メニュー画面８６において、メニュー画面８６に表示された「ＵＳＢ転送」と表示された転送ボタン９２に触れることによって、図１４に示したように、ＵＳＢ転送画面１０２が表示される。
【０１４８】
このＵＳＢ転送画面１０２において、データー読み込み手段を構成する「設定値読込」と表示された設定値読込ボタン１０４に触れることによって、タッチパネル式表示装置２６に設けられたＵＳＢ差込口に差し込まれた外部メモリーであるＵＳＢメモリーに記憶された、例えば、「ＥＸＣＥＬ（登録商標）」などの外部のコンピューターのプログラムで設定した、例えば、圧力について、圧力上限値、圧力下限値の２種類の設定、温度について、温度上限値、温度下限値の２種類の設定などのセンサー警報表示設定値データーを、図３のブロック図で示したように、外部メモリー駆動部６６によって、タッチパネル式表示装置２６内の内部メモリー６４に記憶されるようになっている。
【０１４９】
また、図１４に示したように、ＵＳＢ転送画面１０２において、データー転送手段を構成する「設定値書込」と表示された設定値書込ボタン１０６に触れることによって、タッチパネル式表示装置２６に設けられたＵＳＢ差込口に差し込まれた外部メモリーであるＵＳＢメモリーに、図３のブロック図で示したように、外部メモリー駆動部６６によって、タッチパネル式表示装置２６内の内部メモリー６４に記憶されたセンサー警報表示設定値データーを書き込むように構成されている。
【０１５０】
さらに、図１４に示したように、ＵＳＢ転送画面１０２において、「ＵＳＢメモリーを取り外す」と表示されたＵＳＢメモリー取り外しボタン１０８に触れることによって、タッチパネル式表示装置２６に設けられたＵＳＢ差込口に差し込まれた外部メモリーであるＵＳＢメモリーを安全に取り外すことができるように構成されている。
【０１５１】
なお、この実施例の場合には、外部メモリーとして、ＵＳＢメモリーを使用する構成について説明したが、ＵＳＢメモリー以外にも、例えば、ＣＤ−Ｒ、ＤＶＤ−Ｒなどの外部メモリーを介して、また、例えば、有線ＬＡＮ、無線ＬＡＮを介して、タッチパネル式表示装置２６において、センサー警報表示設定値データーの読み込み、書込みを行うことができる。
【０１５２】
このように構成することによって、例えば、「ＥＸＣＥＬ（登録商標）」などの外部のコンピューターのプログラムで設定した、例えば、圧力について、圧力上限値、圧力下限値の２種類の設定、温度について、温度上限値、温度下限値の２種類の設定などのセンサー警報表示設定値データーを、例えば、ＵＳＢメモリー、ＣＤ−Ｒ、ＤＶＤ−Ｒなどの外部メモリーを介して、また、例えば、有線ＬＡＮ、無線ＬＡＮを介して、タッチパネル式表示装置２６のデーター読み込み手段で読み込むことができる。
【０１５３】
従って、これらのセンサー警報表示設定値データーを外部のコンピューターのプログラムで設定できるので、パラメーターの設定作業が容易で短時間で行うことができる。
【０１５４】
また、タッチパネル式表示装置２６内の記憶手段である内部メモリー６４に記憶されたセンサー警報表示設定値データーを、例えば、有線ＬＡＮ、無線ＬＡＮを介して、外部データー転送手段により、外部のコンピューター、外部メモリーなどに転送することができる。
【０１５５】
従って、万一、本発明の船舶エンジン用アラームモニター装置１０に異常が発生したとしても、異常発生時の前後のセンサー警報表示設定値データーを、外部のコンピューターなどに転送することができ、新しい船舶エンジン用アラームモニター装置に交換した際にも、外部のコンピューターなどに転送して記憶されたデーターを引き継ぐことが可能で、再起動が迅速に行える。
【０１５６】
なお、この実施例では、タッチパネル式表示装置２６内の記憶手段である内部メモリー６４に記憶されたセンサー警報表示設定値データーを外部メモリーに転送するようにしたが、警報表示装置２０に転送するデーター転送手段を備えるようにしても良い。
【０１５７】
このように構成することによって、タッチパネル式表示装置２６のデーター転送手段によって、データー読み込み手段で読み込んだセンサー警報表示設定値データーを、警報表示装置２０に転送することができるので、パラメーターの設定作業が容易で短時間で行うことができる。
【０１５８】
また、警報表示装置２０が、警報表示装置２０内の記憶手段である内部メモリー（不揮発性メモリー）５２に記憶されたセンサー警報表示設定値データーを、タッチパネル式表示装置２６に転送するデーター転送手段を備えても良い。
【０１５９】
このように構成することによって、万一、本発明の船舶エンジン用アラームモニター装置１０の警報表示装置２０に異常が発生したとしても、警報表示装置２０の異常発生時の前後のセンサー警報表示設定値データーを、タッチパネル式表示装置２６に転送することができる。
【０１６０】
これにより、新しい警報表示装置２０に交換した際にも、タッチパネル式表示装置２６に記憶された異常発生時の前後のセンサー警報表示設定値データーを、引き継ぐことが可能で、再起動が迅速に行える。
【０１６１】
さらに、図９に示したように、メニュー画面８６において、メニュー画面８６に表示された「全点一覧」と表示された全点一覧表示ボタン９４に触れることによって、図１５に示したように、センサーの現在の情報を一覧表示する一覧表示画面１１０を表示するようになっている。
【０１６２】
図１５に示したように、一覧表示画面１１０では、船舶エンジンの複数のシリンダーにそれぞれ設けた複数のセンサーについて、例えば、「圧力」、「高温」、「低温」などが一覧表示されている。
【０１６３】
また、例えば、「高温補正基準」、「平均偏差グループ」、「ＡＬＭブロック」のＯＮ／ＯＦＦ、「外部出力」のＯＮ／ＯＦＦなどの情報が一覧で表示されるようになっている。
【０１６４】
なお、一覧表示画面１１０では、「戻る」ボタンに触れることによって、メニュー画面８６に戻ることができるようになっている。
【０１６５】
このように構成することによって、メニュー画面８６に表示された全点一覧表示ボタン９４に触れることによって、一覧表示画面表示手段によって、センサーの現在の情報を一覧表示する一覧表示画面１１０を表示することができる。
【０１６６】
これにより、一覧表示画面１１０によって、センサーやエンジンのシリンダーなどの不良や、不具合を監視できるとともに、交換したり不具合を修正することが可能となり、監視能力（モニター能力）が向上する。
【０１６７】
以上説明した操作については、説明しないが、例えば、圧力について、増設タッチパネル式表示装置３４についても同様にして操作することができる。
【０１６８】
なお、この実施例では、増設タッチパネル式表示装置３４、増設警報表示装置３０のそれぞれ１台の増設機を増設したが、エンジンのシリンダーのセンサーによる監視項目が多くなれば、その数だけ増設警報表示装置３０を増設すれば良い。
また、別室でアラームモニター装置１０のデーターを監視することができるように、例えば、タッチパネル式表示装置を２台設けることによって、操舵室と機械室で、アラームモニター装置１０のデーターを同時に監視することができ、極めて便利である。
【０１６９】
さらに、上記実施例では、あくまでも画面表示の一例を示したものであって、メニュー画面８６に、警報設定ボタン８８と、言語選択ボタン９０と、転送ボタン９２と、全点一覧表示ボタン９４を備えるようにしたが、これらのボタンをメイン画面７２に備えるようにすることなど適宜変更可能である。
【０１７０】
以上、本発明の好ましい実施の態様を説明してきたが、本発明はこれに限定されることはなく、本発明では、図１、図２に示したように、増設タッチパネル式表示装置３４を警報表示装置２０に接続したが、増設警報表示装置３０に接続することも可能であり、また、タッチパネル式表示装置２６、増設タッチパネル式表示装置３４の液晶表示をカラー液晶から構成したり、一つの液晶表示画面だけでなく、２つの画面を同時に一つの液晶表示することも可能であるなど本発明の目的を逸脱しない範囲で種々の変更が可能である。
【産業上の利用可能性】
【０１７１】
本発明は、船舶エンジンの複数のシリンダーにそれぞれ設けた複数のセンサーからの、例えば、圧力、温度などの各種情報を表示して、これらの情報に異常が生じた場合に、警報表示するための船舶エンジン用アラームモニター装置に適用することができる。
【符号の説明】
【０１７２】
１０    船舶エンジン用アラームモニター装置
１２    船舶エンジン
１４    スクリュー
１６    機関制御部
１８    センサー群
２０    警報表示装置
２２    銘板
２４    ＬＥＤ
２５    回線
２６    タッチパネル式表示装置
２８    回線
３０    増設警報表示装置
３２    回線
３４    増設タッチパネル式表示装置
３６    中央演算処理装置
４０    ＬＥＤ表示部
４４    接点入力部
４６    センサー入力回路
４８    通信回路部
５０    通信回路部
５４    ブザー
５６    中央演算処理装置
５８    液晶表示駆動部
６０    人体検出センサー
６２    バックライト駆動部
６４    内部メモリー
６６    外部メモリー駆動部
６８    通信回路部
７０    ブザー
７２    メイン画面
７４    計測情報一覧選択ボタン
７６    警報履歴選択ボタン
７８    メニューボタン
８０    計測情報一覧表示画面
８２    個別計測情報画面
８４    警報履歴表示画面
８６    メニュー画面
８８    警報設定ボタン
９０    言語選択ボタン
９２    転送ボタン
９４    全点一覧表示ボタン
９６    警報設定画面
９８    テンキーボタン画面
１００    言語ボタン
１０２    転送画面
１０４    設定値読込ボタン
１０６    設定値書込ボタン
１０８    ＵＳＢメモリー取り外しボタン
１１０    一覧表示画面
２００    船舶エンジン用アラームモニター装置
２０２    警報表示装置
２０４    回線
２０６    増設表示装置
２０８ａ〜２０８ｃ    デジタル表示部
２１０    ボタン操作部
２１２    銘板
【図１】
2014088052.tif 000003
【図２】
2014088052.tif 000004
【図３】
2014088052.tif 000005
【図４】
2014088052.tif 000006
【図５】
2014088052.tif 000007
【図６】
2014088052.tif 000008
【図７】
2014088052.tif 000009
【図８】
2014088052.tif 000010
【図９】
2014088052.tif 000011
【図１０】
2014088052.tif 000012
【図１１】
2014088052.tif 000013
【図１２】
2014088052.tif 000014
【図１３】
2014088052.tif 000015
【図１４】
2014088052.tif 000016
【図１５】
2014088052.tif 000017
【図１６】
2014088052.tif 000018